(57)【要約】      （修正有）【課題】眼鏡フレームをテンプルデザインがひと目で分かるように立体的に展示することができ、しかも、固定した眼鏡フレームが傷んだり運搬時に脱落したりする心配もない使い勝手に優れた眼鏡フレーム展示具を提供する。【解決手段】窓孔１１を備えた表面板１の裏側に、柔軟かつ弾力的な発泡ゴム或いは発泡合成樹脂から成るブロック体２１を配置すると共に、前記窓孔１１の内側にスリット２２を形成して差込み固定部２を設けることにより、窓孔１１から前記スリット２２に差し込まれた眼鏡フレームのモダン部をブロック体で挟持せしめて当該差込み固定部２に固定可能とした。【選択図】図１
0003149270.tif 000002
【実用新案登録請求の範囲】
【請求項１】
窓孔11を備えた表面板１の裏側に、柔軟かつ弾力的な発泡ゴム或いは発泡合成樹脂から成るブロック体21を配置すると共に、前記窓孔11の内側にスリット22を形成して差込み固定部２を設けることにより、窓孔11から前記スリット22に差し込まれた眼鏡フレームＦのモダン部Ｍをブロック体で挟持せしめて当該差込み固定部２に固定可能としたことを特徴とする眼鏡フレーム展示具。
【請求項２】
表面板１に左右一対の窓孔11・11を列設すると共に、差込み固定部２の裏側には裏板３を配設して全体をボード状に構成したことを特徴とする請求項１記載の眼鏡フレーム展示具。
【請求項３】
差込み固定部２のスリット21が、左右一対の窓孔11・11の内側の中央にそれぞれ水平方向に亙って形成されていることを特徴とする請求項２記載の眼鏡フレーム展示具。
【請求項４】
差込み固定部２において、表面板１または裏板３に板状のブロック体21・21…を簀の子状に並べて固定し、これらブロック体21・21…同士の隙間をスリット22として使用可能としたことを特徴とする請求項２または３に記載の眼鏡フレーム展示具。
【請求項５】
裏板３の後部に支持脚５を設けて表面板１及び差込み固定部２を所定の角度に傾倒可能としたことを特徴とする請求項２〜４の何れか一つに記載の眼鏡フレーム展示具。
【考案の詳細な説明】
【技術分野】
【０００１】
本考案は、眼鏡フレーム展示具の改良、更に詳しくは、眼鏡フレームを立体的に展示することができ、しかも、固定した眼鏡フレームが傷んだり運搬時に脱落したりする心配もない眼鏡フレーム展示具に関するものである。
【背景技術】
【０００２】
周知のとおり、店舗内で眼鏡フレームを陳列する際にはフレームを固定できる専用の展示具を使用するのが一般的であり、また眼鏡フレームの陳列に際しては顧客の購買意欲を刺激できるようにできるだけ置き方を工夫することが望ましい。
【０００３】
また最近では、テンプルに装飾を施した眼鏡フレームも多くみられるようになり、このような眼鏡フレームはデザインの良し悪しをテンプルを見て判断してもらう必要があるものの、＜特許文献１＞にあるような従来の陳列方法ではテンプルを見るために、眼鏡フレームを一度手にとってテンプルを広げる必要があったため、顧客に煩わしい思いをさせていた。
【０００４】
そこで、従来においては＜特許文献２＞にあるようなディスプレイ台を使用して、テンプルを広げた状態で眼鏡フレームを展示することによりテンプル側面を見えやすくする工夫も提案されていたが、このようなディスプレイ台を使用すると隙間部分にモダン部を挿し込む際に隙間内の前後壁に擦れてモダン部が傷み易いという問題があった。
【０００５】
また、上記ディスプレイ台を眼鏡フレームを付けた状態で持ち運びたい場合に、振動によってモダン部が隙間から抜けて眼鏡フレームが脱落する虞れがあったため、振動が伝わらないように慎重に運ぶ必要があり、陳列の並びを頻繁に変える店舗では非常に使い勝手が悪かった。
【先行技術文献】
【特許文献】
【０００６】
【特許文献１】特開平９−１０３３４４号公報（第２−７頁、第１−２４図）
【特許文献２】登録実用新案第３０２７０３４号公報（第２−４頁、第１−６図）
【考案の概要】
【考案が解決しようとする課題】
【０００７】
本考案は、上記の如き問題に鑑みて為されたものであり、その目的とするところは、眼鏡フレームをテンプルデザインがひと目で分かるように立体的に展示することができ、しかも、固定した眼鏡フレームが傷んだり運搬時に脱落したりする心配もない使い勝手に優れた眼鏡フレーム展示具を提供することにある。
【課題を解決するための手段】
【０００８】
本考案者が上記課題を解決するために採用した手段を添付図面を参照して説明すれば次のとおりである。
【０００９】
即ち、本考案は、窓孔11を備えた表面板１の裏側に、柔軟かつ弾力的な発泡ゴム或いは発泡合成樹脂から成るブロック体21を配置すると共に、前記窓孔11の内側にスリット22を形成して差込み固定部２を設けることにより、窓孔11から前記スリット22に差し込まれた眼鏡フレームＦのモダン部Ｍをブロック体で挟持せしめて当該差込み固定部２に固定可能とした点に特徴がある。
【００１０】
また、本考案においては、上記課題を解決するために、必要に応じて上記手段に加え、表面板１に左右一対の窓孔11・11を列設すると共に、差込み固定部２の裏側には裏板３を配設して全体をボード状に構成するという技術的手段を採用することができる。
【００１１】
また、本考案においては、上記課題を解決するために、必要に応じて上記手段に加え、差込み固定部２のスリット21を、左右一対の窓孔11・11の内側の中央にそれぞれ水平方向に亙って形成するという技術的手段を採用することができる。
【００１２】
また、本考案においては、上記課題を解決するために、必要に応じて上記手段に加え、差込み固定部２において、表面板１または裏板３に板状のブロック体21・21…を簀の子状に並べて固定し、これらブロック体21・21…同士の隙間をスリット22として使用可能とするという技術的手段を採用することができる。
【００１３】
また、本考案においては、上記課題を解決するために、必要に応じて上記手段に加え、裏板３の後部に支持脚５を設けて表面板１及び差込み固定部２を所定の角度に傾倒可能とするという技術的手段を採用することができる。
【考案の効果】
【００１４】
本考案においては、窓孔付き表面板の裏側に発泡ゴムまたは発泡合成樹脂から成るブロック体を配置し、窓孔内にスリットを形成して差込み固定部を設け、この差込み固定部のスリットに表面板の窓孔から眼鏡フレームのモダン部を挿入して固定可能としたことにより、眼鏡フレームをテンプルを開いた状態で立体的に展示することが可能となるため、商品を陳列した際のテンプルデザインの確認が容易となる。
【００１５】
しかも、差込み固定部のブロック体は柔軟性の高い材質であるため、スリット挿入時に眼鏡フレームのモダン部が擦れて傷むような問題が生じることもない。
【００１６】
また、差込み固定部のブロック体の反発力によってスリット内に挿入されたモダン部はしっかりと挟持されるため、運搬時にモダン部が抜け落ちて眼鏡フレームが脱落してしまう心配も少ない。
【００１７】
そして更に、表面板に関してはテンプルデザインが映える任意の背景色に設定することができるだけでなく、表面板上に眼鏡フレームの商品名やブランド名を表示することも可能であるため、商品を陳列する際の使い勝手も非常に良い。
【００１８】
したがって、本考案により、テンプルに装飾的な特徴を有する眼鏡フレームを顧客に効果的に展示することができ、擦れや脱落によって商品が傷付く心配も少ない眼鏡フレーム展示具を提供できることから、本考案の実用的利用価値は頗る高い。
【図面の簡単な説明】
【００１９】
【図１】本考案の実施例１における眼鏡フレーム展示具を表わす全体斜視図である。
【図２】本考案の実施例１における眼鏡フレーム展示具を表わす分解斜視図である。
【図３】本考案の実施例１における差込み固定部に対するモダン部の固定状態を表わす部分断面図である。
【図４】本考案の実施例１における眼鏡フレーム展示具の使用状態を表わす状態説明図である。
【図５】本考案の実施例２における眼鏡フレーム展示具の使用状態を表わす状態説明図である。
【図６】本考案の実施例２における眼鏡フレーム展示具の補助スリットを表わす拡大斜視図である。
【図７】本考案の変形例における眼鏡フレーム展示具の差込み固定部を表わす部分断面図である。
【図８】本考案の変形例における眼鏡フレーム展示具の補助スリットを表わす拡大斜視図である。
【考案を実施するための形態】
【００２０】
『実施例１』
本考案の実施例１は、図１から図４に示される。同図において、符号１で指示するものは、表面板であり、符号２で指示するものは、差込み固定部である。また符号３で指示するものは、裏板であり、符号４で指示するものは、上下板である。
【００２１】
次に、実施例１の構成を以下から説明する。実施例１では、窓孔11を備えた表面板１の裏側に柔軟で弾力的な性質を有する発泡合成樹脂(本実施例では、「ウレタンフォーム」)から成るブロック体21を、前記窓孔11の内側にスリット21が形成されるように配置して差込み固定部２を設けている（図１参照）。
【００２２】
また実施例１では、表面板１に左右一対の窓孔11・11を列設し、更に差込み固定部２のブロック体21の裏側に裏板３を上下板４・４を介して取り付けて全体をボード状に構成している。
【００２３】
また更に、差込み固定部２については、表面板１に板状のブロック体21・21…を簀の子状に並べて固定することにより、ブロック体21・21…同士の隙間を窓孔11内側に形成するスリット22として利用できるようにしている（図２参照）。
【００２４】
上記のように構成したことにより、表面板１の窓孔11・11から差込み固定部２のスリット22・22に眼鏡フレームＦの左右のモダン部Ｍ・Ｍを差し込めば、図３に示すようにブロック体21・21の反発力によってモダン部Ｍを挟持することができるため、テンプルを開いた状態で眼鏡フレームＦを固定することができる。
【００２５】
なお、差込み固定部２には柔軟な材質のブロック体21を使用しているため、差し込み時に眼鏡フレームＦのモダン部Ｍに擦れて傷むような心配はない。
【００２６】
そして、上記表面板１の窓孔11全てに眼鏡フレームＦ・Ｆ…を固定して商品を陳列すれば、図４に示すような眼鏡フレームＦのテンプルデザインがひと目で分かる立体的な陳列スペースを形成することができる。
【００２７】
なお、商品陳列の際には表面板１をテンプルデザインが映える背景色(本実施例では、「白色」)に設定することができ、また表面板１上に眼鏡フレームの商品名やブランド名を表示することもできる。
【００２８】
また、上記表面板１と差込み固定部２を備える眼鏡フレームＦの展示具はボード状に構成しているため、収納や持ち運びに便利であり、しかも、モダン部Ｍが差込み固定部２にしっかりと固定されているため眼鏡フレームＦを付けたまま持ち運んでも振動により抜け落ちる心配も殆どない。
【００２９】
また実施例１では、差込み固定部２のスリット22を表面板１の左右一対の窓孔11・11の内側の中央にそれぞれ水平方向に亙って設けているため、テンプル間の幅が異なる眼鏡フレームＦ(例えば、子供用眼鏡フレーム)であっても窓孔11の大きさの許容範囲内で固定することができる。
【００３０】
『実施例２』
次に、本考案の実施例２を図５及び図６に基いて以下に説明する。符号５で指示するものは、支持脚である。実施例２においては、裏板３の後部に支持脚５を設けて表面板１及び差込み固定部２を所定の角度に傾倒可能としているため、任意の位置で簡単に眼鏡フレームＦを展示することができる（図５参照）。
【００３１】
ちなみに裏板３の後部に角度調節可能な支持脚５を設ければ、モダン部Ｍの形状に応じて、例えばストレートテンプルの場合にはボードを起立させるなどして展示される眼鏡フレームＦの角度を調整することも可能である。
【００３２】
また実施例２では、図６(a)に示すように差込み固定部２の横方向のスリット22に対し縦方向の補助スリット23を設けることによって、図６(b)に示すように差し込んだモダン部Ｍが横ズレを起こさないようにすることもでき、この効果はモダン部Ｍの縦幅が大きい場合に特に有効となる。
【００３３】
本考案は、概ね上記のように構成されるが、本考案は図示の実施形態に限定されるものでは決してなく、「実用新案登録請求の範囲」の記載内において種々の変更が可能であって、例えば、差込み固定部２に用いた発泡合成樹脂材の代わりに、同様の性質を有するシリコーンゴムやフッ素ゴムの発泡体等の発泡ゴム材を使用することも勿論可能である。
【００３４】
また、表面板１についてはミラー状としてテンプルの裏側を見易くする工夫も可能であり、また、全体をボード状に構成した場合には、裏板３に吊り具を取着して壁掛け可能とすることもでき、複数のボード状展示具を連結して任意の大きさ・形状で使用することも可能である。
【００３５】
そしてまた、差込み固定部２に関しても、図７に示すようにブロック体21を切り欠いて形成した溝をスリット22として利用してもよく、また図８に示すように表面板１の窓孔11周辺に部分的に発泡合成樹脂等を配置したりすることも可能であり、他方、全体の形状をボード状以外の角柱状や階段状などの形態としてもよく、何れのものも本考案の技術的範囲に属する。
【産業上の利用可能性】
【００３６】
最近では、独創的なテンプルデザインによってファッション性を高めた眼鏡フレームが市場に多く出回るようになったことから、顧客側からはテンプルデザインがひと目で分かる眼鏡フレームの陳列方法が求められている。またこのような陳列方法は、店舗側にとってもテンプルデザインの良さを際立たせて顧客の購買意欲を高めることができるためメリットは大きい。
【００３７】
そのような中で、本考案の眼鏡フレーム展示具は、テンプルデザインのチェックが極めて容易になるだけでなく、商品の陳列具として非常に扱い易い実用的で有用な技術であることから、市場における需要は大きく、その産業上の利用価値は非常に高い。
【符号の説明】
【００３８】
１  表面板
11  窓孔
２  差込み固定部
21  ブロック体
22  スリット
23  補助スリット
３  裏板
４  上下板
５  支持脚
Ｆ  眼鏡フレーム
Ｍ  モダン部
【図１】
0003149270.tif 000003
【図２】
0003149270.tif 000004
【図３】
0003149270.tif 000005
【図４】
0003149270.tif 000006
【図５】
0003149270.tif 000007
【図６】
0003149270.tif 000008
【図７】
0003149270.tif 000009
【図８】
0003149270.tif 000010